(57)【要約】【課題】棚等に隙間無く陳列した状態においても検索しやすく且つ収納効率に優れた表紙体及びファイルを提供する。【解決手段】表表紙１１、裏表紙１２及び背表紙１３を有し、表表紙１１及び裏表紙１２の間に紙葉類を挟み込む表紙体１において、背表紙１３の一側に連接表紙１４を一定の角度で設け、この連接表紙１４を介して背表紙１３に両表紙のうち一方の表紙である表表紙１１を接続するとともに、背表紙１３の他側に、挟み込む紙葉類の厚みに応じて表表紙１１及び裏表紙１２の間隔を変更可能なように変形する変形部１５を介して他方の表紙である裏表紙１２を接続していることを特徴とする。【選択図】図１
2005022264.tif 000002
【特許請求の範囲】
【請求項１】
表表紙、裏表紙及び背表紙を有し、表表紙及び裏表紙の間に紙葉類を挟み込む表紙体において、
背表紙の一側に連接表紙を一定の角度で設け、この連接表紙を介して背表紙に表裏何れか一方の表紙を接続するとともに、
背表紙の他側に、挟み込む紙葉類の厚みに応じて表表紙及び裏表紙の間隔を変更可能なように変形する変形部を介して他方の表紙を接続していることを特徴とする表紙体。
【請求項２】
前記変形部が、背表紙の長手方向に平行をなす複数のヒンジにより構成されている請求項１に記載の表紙体。
【請求項３】
前記連接表紙と前記一方の表紙が補助ヒンジを介して折り曲げ可能に連接されたものである請求項１又は２に記載の表紙体。
【請求項４】
前記表紙体が樹脂素材のみからなる請求項１〜３のいずれかに記載の表紙体。
【請求項５】
請求項１〜４に記載の表紙体を利用するものであって、前記一方の表紙が裏表紙であり、
連接表紙の所定の位置に紙葉類を綴じる綴じ具を設けたファイル。
【請求項６】
請求項１〜４に記載の表紙体を利用するものであって、前記一方の表紙が裏表紙であり、
該裏表紙の、連接表紙に近接した所定の位置に紙葉類を綴じる綴じ具を設けたファイル。
【請求項７】
前記綴じ具が、紙葉類に設けられた綴じ穴に綴じ足を挿通することにより前記紙葉類を綴じるものである請求項５又は６に記載のファイル。
【請求項８】
前記ファイルが樹脂素材のみからなることを特徴とする請求項５〜７のいずれかに記載のファイル。
【発明の詳細な説明】
【０００１】
【発明の属する技術分野】
本発明は、紙葉類を綴じ、陳列・保管するためのファイルに関する。
【０００２】
【従来の技術】
紙葉類を棚等に保管する際、まとめられた紙葉類をそれぞれファイルに綴じ、その綴じた紙葉類の内容や日付等をファイルの背表紙に見出しとして表示し、背表紙を手前側に向け、起立させて陳列することが多い。
【０００３】
上記したような陳列方法に適するようなものとして、例えば、特許文献１のように、棚等に隙間無く陳列した状態においても所望のファイルが取り出し易いよう表紙体の背表紙の所定箇所に切り込みを設け、該切り込みの箇所から所望のファイルを掴むことにより、ファイルを取り出しやすくしたものも開発されている。
【０００４】
一方、ファイルは、順次継ぎ足していく態様の下に使用されることが少なくなく、また閲覧の便等から、本来の綴じ込み容量を超える量の紙葉類を綴じ込むのは稀で、それを下回る綴じ込み量の範囲で使用されるのが通例である。特に、分類・整理を主眼としたファイル等は、本来大量の紙葉類を綴じ込むことは目的ではなく、他の紙葉類と区別するためだけに綴じ分けられることが多いため、このようなものでは実際に閉じられる量は極く少量のことが多々あり、各ファイルの綴じ込み容量も比較的少量に設定されている。以上の種々の事情より、ファイルは、綴じた紙葉類と表紙体との間に綴じ込み代（空間）を残しているのが比較的通常の使用状態である。
【０００５】
【特許文献１】
特開２００２−３３１７８５号公報
【０００６】
【発明が解決しようとする課題】
しかしながら、このように紙葉類と表紙体との間に綴じ込み代を残したファイルを棚等に隙間無く配列して陳列した場合、互いのファイル同士が配列方向に押し合うことにより前記綴じ込み代が潰され、このとき背表紙が隣接するファイルに対面するように向きを変えることがあり、背表紙に表示された内容が視認できないためにファイルの検索がしづらくなるという問題があった。
【０００７】
上記した問題は表紙体自体が丈夫に形成されているファイルや、背表紙と両表紙とが成す角度が固定されたファイルを用いれば解決するが、そのようなファイルを用いた場合は、綴じ込み量が少量である場合にも背表紙の幅寸法が一律であって一定の場所をとるため、上記したような紙葉類と表紙体との間の綴じ込み代がそのまま残されてしまい、棚等に収納する収納効率は著しく低いものとなる。
【０００８】
そこで本発明は、棚等に隙間無く陳列した状態においても検索しやすく且つ収納効率に優れた表紙体及びファイルを提供することを目的とする。
【０００９】
【課題を解決するための手段】
上記課題を解決するためになされた本発明に係る表紙体は、表表紙、裏表紙及び背表紙を有し、表表紙及び裏表紙の間に紙葉類を挟み込む表紙体において、背表紙の一側に連接表紙を一定の角度で設け、この連接表紙を介して背表紙に表裏何れか一方の表紙を接続するとともに、背表紙の他側に、挟み込む紙葉類の厚みに応じて表表紙及び裏表紙の間隔を変更可能なように変形する変形部を介して他方の表紙を接続していることを特徴とする。なお、一定の角度とは、常にそれが保たれることを意図するものではなく、例えば背表紙及び連接表紙がともに樹脂で構成されている場合等に、外力が加わることによってある程度その角度を変化させることをも含む意である。すなわち、外力の如何によらずに一定の角度をなすものの他、外力を加えることにより変形する場合にはその外力を取り去ることで再び一定の角度に回復するものも想定している。
【００１０】
このようなものであれば、棚等に隙間無く配列して陳列した状態においても、背表紙と連接表紙が一定の角度をもって設けられているため、背表紙の配列方向からの押圧により背表紙が隣接するファイルに対面する程に向きを変える様なことはなく、背表紙に表示された内容を好適に視認できる検索容易な状態を維持することができる。
【００１１】
また、綴じ厚みの薄い表紙体が隣接する背表紙から配列方向の押圧を変形部に受けた場合、変形部が表紙体を凹ませる方向に曲がることにより、表紙体の内側に存在する無駄な綴じ込み代を無くしつつ隣接する背表紙の一部分が背表紙の奥方に入り込むこととなる。このようにして、隣接する背表紙同士が部分的に重なり合うことにより、収納効率が向上され、しかも依然として背表紙の残りの部分が表出状態を維持するため、そこに付された見出しを通した検索容易性も確保しておくことができる。
【００１２】
変形部が一定以上の強度を保つためには、前記変形部が背表紙の長手方向に平行をなす複数のヒンジにより構成されていることが望ましい。そうすることにより、それぞれのヒンジが適宜変形することにより上記変形部の作用効果を好適に果たすことができる。
【００１３】
挟み込んだ紙葉類を好適に閲覧できるようにするためには、前記連接表紙と前記一方の表紙が折曲可能な補助ヒンジを介して連接されていることが有効である。そうすることにより、前記表紙体を開いた状態において、一方の表紙と連接表紙との間に一定の角度が保たれていても補助ヒンジの隣接部分が適宜角度を変化させることにより閲覧の妨げとならない姿態に有効に移行し得ることとなる。
【００１４】
表紙体の製造工程及び製造コストを有効に削減するためには該表紙体全体が樹脂素材のみからなることが望ましい。そうすることにより、表紙体を一体成形することが可能となる。
【００１５】
また、本発明に係るファイルは、前記表紙体を利用するものであって、前記一方の表紙が裏表紙であり、連接表紙の所定の位置に紙葉類を綴じるものが望ましい。このようなものであれば、表表紙は前記変形部に連接されているため、好適に開閉の動作を行うことができるとともに裏表紙側からも好適に紙葉類を閲覧することが可能である。
【００１６】
また、本発明に係るファイルは、前記表紙体を利用するものであって、前記一方の表紙が裏表紙であり、該裏表紙の、連接表紙に近接した所定の位置に、紙葉類を綴じる綴じ具を設けたものであってもよい。このようなものであれば、変形部及び補助ヒンジがある場合にはこの補助ヒンジが適宜変形及び屈曲することにより、表紙体を大きく開きやすくなるため、閲覧し易いファイルとすることができる。
【００１７】
生産コストを低減させるためには、綴じ具に、紙葉類に設けられた綴じ穴に綴じ足を挿通することにより前記紙葉類を綴じるものを使用することが好ましい。そうすることにより、綴じ具が単純な構造且つ安価なものとすることができるため、本発明に係るファイルを低コストで生産することが可能となり、しかもそれ自体はリング綴じ具のように嵩張るものではないため、少量の紙葉類を綴じ込むことを目的としたファイルとして好適であり、また綴じ込み量が少ないときの収納効率をより一層有効に向上させることが可能となる。
【００１８】
また、使用後の分別廃棄を好適に行うようにするためには、表紙体及び綴じ具ともども樹脂素材のみからなるものであることが望ましい。
【００１９】
【発明の実施の形態】
以下、本発明の一実施形態について図面を参照して説明する。
【００２０】
図１に本実施形態に係るファイルＦを示す。ファイルＦは、表紙体１に綴じ具Ｂを接着することにより構成してある。また、使用後のファイルＦの分別廃棄を可能なものとするため、焼却する際にも有毒ガスが発生しないものとするため及び生産コストを削減するため、この実施形態は、表紙体１、綴じ具Ｂともども樹脂素材であるポリプロピレンの一体成形により構成されている。
【００２１】
表紙体１は、図２に示すように、表表紙１１、裏表紙１２、背表紙１３及び連接表紙１４より構成されている。表表紙１１及び背表紙１３は変形部１５を介して接続され、背表紙１３と連接表紙１４はおよそ直角に近い角度をなすように固定された屈曲部１６を介して接続され、連接表紙１４の所定箇所に綴じ具Ｂが接着により取り付けられている。
【００２２】
連接表紙１４は、一側縁を上述の通り背表紙１３に接続されているとともに、他側縁を裏表紙１２に１本の折曲可能な補助ヒンジ１７を介して接続されている。補助ヒンジ１７は背表紙１３の長手方向に平行な方向に沿って樹脂を部分的に薄肉にした所謂樹脂ヒンジで、その部分が変形することで裏表紙１２と連接表紙１４との間を両方向に折曲可能としているものである。
【００２３】
変形部１５は、背表紙１３の長手方向に平行をなす３本のヒンジ１５１、１５２、１５３を具備するもので、これらのヒンジ１５１、１５２、１５３は変形部１５の幅寸法内に等間隔で配設され、前記補助ヒンジ１７と同様に、樹脂を部分的に薄肉とすることでその変形により隣接部分を折曲可能としているものである。
【００２４】
これらの樹脂ヒンジの成形は、折り曲げ型を用いた一般的手法によってなされる。
【００２５】
屈曲部１６は、表紙体１の素材となるシート材に加熱したアングル型を押し当て、その状態で冷却することによって、保形性を発現させている。
【００２６】
なお、図１に示すように、綴じ具Ｂには、紙葉類に設けられた綴じ穴に綴じ足を挿し通すことにより紙葉類を綴じる扁平なものを採用している。この綴じ具Ｂ自体は周知のものである。
【００２７】
次に、綴じ込み代を残した複数のファイルＦを棚等に隙間無く配列して陳列した場合における、それぞれのファイルＦの状態を、本発明の作用を誇張して図３示す。同図に示すように、各表紙体１の背表紙１３は連接表紙１４に対しておよそ直角を保つように連接されているため、配列方向からの押圧を受けた状態においてもその角度が大きく変化することはなく、棚等に対峙する利用者に対面する方向に表出した状態となっている。
【００２８】
また、屈曲部１６が隣接する表紙体１の変形部１５（同図においてはヒンジ１５２の箇所）に当接すると、変形部１５は表紙体１の内側に凹ませる方向にヒンジ部１５２、１５３を変形させることにより、背表紙１３が面する方向を略一定としつつ、屈曲部１６からの押圧を受け止める。その際、押圧する表紙体１の背表紙１３は隣接する表紙体１の変形部１５に入り込むこととなるが、入り込む部分は背表紙１３の端の一部分のみで、背表紙１３の残りの部分が表出状態を維持しているため、見出し１３１を通じた検索容易性も確保された状態にある。なお、実際には変形部１５が図３のようには極端に変形しない場合もあり、また背表紙１３と連接表紙１４は樹脂一体成形により連なっていて外力を受けるとその間に位置する屈曲部１６がなす角度が変わり得るため、実情は図４に示すような状態をとる場合も多いと考えられる。この場合には、背表紙１３は棚に対峙する人から見て若干斜めを向き、表紙体１の配列も徐々に斜めにずれていくこともあり得るが、この場合にも基本的な本願発明の作用効果が大きく損なわれるようなことはない。すなわち、収納効率と検索容易性とはこの場合も有効に両立し得る。
【００２９】
つぎに、本実施形態に係るファイルＦを開いて紙葉類を閲覧する際の模式図を図５に示す。綴じ具Ｂは連接表紙１４に設けられているため、表紙体１を大きく開いた状態においても屈曲部１６がなす角度は略一定に維持されているが、変形部１５を構成する３本のヒンジ１５１、１５２、１５３及び補助ヒンジ１７がそれぞれ変形することにより表紙体１は大きく見開かれるため、閲覧に適した姿勢に有効に移行し得ることとなる（図５（Ａ））。また、裏表紙１２側から表紙体１を開いた場合においても、補助ヒンジ１７によって表紙体１を開くことができるので、紙葉類を裏表紙１２側から閲覧することも可能である（図５（Ｂ））。つまり、本実施形態におけるファイルＦは表表紙１１側及び裏表紙１２側の両側から好適に紙葉類を閲覧することが可能である。
【００３０】
以上のような構成とすることにより、本実施形態に係る表紙体１は、棚等に隙間無く表紙体１を配列して陳列した状態においても、背表紙１３と連接表紙１４が略一定の角度を保つため、背表紙１３の配列方向からの押圧により表紙体１が潰されて背表紙１３が隣接するファイルＦに対面する程に向きを変えてしまうようなことはなく、背表紙１３に記された見出し１３１を好適に視認できる検索容易な状態を維持することができる。
【００３１】
また、綴じ厚みが薄く無駄な綴じ込み代を残した表紙体１が、隣接する表紙体１の背表紙１３及び屈曲部１６から配列方向の押圧を変形部１５に受けた場合、変形部１５が表紙体１を凹ませる方向に曲がることにより、表紙体１の内側に存在する無駄な綴じ込み代を無くしつつ隣接する背表紙１３の一部分が背表紙１３の奥方に入り込むこととなる。このようにして、隣接する背表紙１３同士が部分的に重なり合うことにより、収納効率が向上され、しかも依然として背表紙１３の残りの部分が表出状態を維持するため、そこに付された見出し１３１を通した検索容易性も依然として確保しておくことができる。
【００３２】
また、この実施形態は、前記変形部１５が背表紙１３の長手方向に平行をなす複数のヒンジ１５１、１５２、１５３により構成されているため、変形部１５の部分部分についての強度は確保しつつも、それぞれのヒンジ１５１、１５２、１５３が適宜変形することによって、上記変形部１５の作用効果を好適に果たすことができる。
【００３３】
さらに、本実施形態に係る表紙体１は、連接表紙１４と裏表紙１２を補助ヒンジ１７を介して折り曲げ可能に連接しているため、前記表紙体１を開いた状態において、裏表紙１２と連接表紙１４とが一定の角度が保たれていても補助ヒンジ１７が変形することにより表紙体１が容易に開き得るため、挟み込んだ紙葉類に対する閲覧容易性を有効に確保することができる。
【００３４】
一方、本実施形態に係るファイルＦは、前記表紙体１を利用するものであって、背表紙１３と裏表紙１２との間に設けた連接表紙１４の所定の位置に紙葉類を綴じる綴じ具Ｂを設けたものである。表表紙１１は前記変形部１５に連接されているため、好適に表紙体１の開閉の動作を行うことができ、また綴じ具Ｂは比較的強度のある連接表紙１４に確実に取り付けておくことができる。
【００３５】
また、本実施形態に係るファイルＦは、綴じ具Ｂに、紙葉類に設けられた綴じ穴に綴じ足を挿通することにより前記紙葉類を綴じるものを採用しているため、綴じ具Ｂが構造簡素且つ安価なものとなり、本実施形態に係るファイルＦを低コストで提供することが可能となる。しかも、それ自体がリング綴じ具のように嵩張るものではないため、少量の紙葉類を綴じ込むことを目的としたファイルＦとして好適となり、綴じ込み量が少ないときの収納効率をより一層有効に向上させることが可能となる。
【００３６】
加えて、本実施形態に係る表紙体１であれば、綴じ込み量がたとえ背表紙１３よりも多くなる場合であっても、図６のように変形部１５を構成するヒンジ１５１、１５２、１５３のうち、紙葉類の厚みに対応する箇所に位置するヒンジ（図６においてはヒンジ１５２）が変形するため、好適に紙葉類を挟み込むことができる。
【００３７】
なお、本発明は上記実施形態に限定されるものではない。例えば、図７のように、連接表紙１４に近接する裏表紙１２の所定箇所に綴じ具Ｂを設けたものであっても良い。このようなものであれば、棚等に隙間無く配列して陳列した場合における収納効率に関しては上記実施形態におけるファイルＦと同様の作用・効果を得ることができるとともに、表紙体１を大きく開いた状態において、補助ヒンジ１７が紙葉類の閲覧する部分の下側で変形しないため、表側から閲覧する際に紙葉類を好適に閲覧することができる。
【００３８】
また、図８のように補助ヒンジ１８を設けることにより綴じ具Ｂの両側に補助ヒンジ１７、１８を設けたものであっても本発明の技術的範囲に属するものである。このようなものであれば上記図５におけるファイルＦと、図７におけるファイルＦとの作用・効果を両方得ることができる。
【００３９】
また、変形部が折曲可能な複数のヒンジではなく、変形部に帯状の柔軟な素材を使用することにより、背表紙に隣接する一定の幅領域に亘り湾曲可能に設定したものであっても本発明の技術的範囲に属するものである。
【００４０】
なお、本発明に係るファイルに用いる綴じ足は、綴じ厚みが薄い場合における作用・効果から鑑みて、上述の通り嵩張らない綴じ具であればあるほど相応しいものとなる。例えば、樹脂製の綴じ足に別体の止め具を必要とする綴じ具よりも、綴じ足のみで紙葉類を綴じることのできる綴じ具を用いることの方が、本発明に係る表紙体及びファイルの作用効果をさらに有効に発揮させることが可能となる。
【００４１】
【発明の効果】
本発明によれば、棚等に隙間無く陳列した状態においても検索しやすく且つ収納効率に優れた表紙体及びファイルを提供することができる。
【図面の簡単な説明】
【図１】本発明の実施形態に係るファイルの全体斜視図。
【図２】同実施形態に係る表紙体の拡大斜視図。
【図３】同実施形態に係る斜視図。
【図４】同実施形態に係る平面視模式図。
【図５】同実施形態に係る平面視模式図。
【図６】同実施形態に係る模式図。
【図７】本発明の他の実施形態に係る模式図。
【図８】本発明の他の実施形態に係る模式図。
【符号の説明】
１  …表紙体
１１…表表紙
１２…裏表紙
１３…背表紙
１４…連接表紙
１５…変形部
１５１、１５２、１５３…ヒンジ
１６…屈曲部
１７、１８…補助ヒンジ
Ｂ  …綴じ具
Ｆ  …ファイル
【図１】
2005022264.tif 000003
【図２】
2005022264.tif 000004
【図３】
2005022264.tif 000005
【図４】
2005022264.tif 000006
【図５】
2005022264.tif 000007
【図６】
2005022264.tif 000008
【図７】
2005022264.tif 000009
【図８】
2005022264.tif 000010